(57)【特許請求の範囲】
【請求項１】
前面側に配され本体側に対して開閉される前面側枠体を備える弾球遊技機において、
該弾球遊技機の上下方向に沿って互いに対向して前記本体側に固定された上下一対のヒンジ軸の組を前記弾球遊技機の左右の辺に沿ってそれぞれ１組ずつ配置し、
前記ヒンジ軸を挿通可能な幅で前記本体側になる端が開放端で他端が閉鎖端とされて前記４つのヒンジ軸のそれぞれに対応して前記前面側枠体に設けられた左上、左下、右上及び右下の軸挿通溝と、
前記軸挿通溝のそれぞれに対応して配され、前記軸挿通溝の閉鎖端側に挿通された前記ヒンジ軸の前記開放端側への移動を阻止する拘束位置と該挿通された前記ヒンジ軸の前記開放端側への移動を許す解放位置とに上下に揺動変位可能で、付勢部材により前記拘束位置側に付勢され、前記開放端から閉鎖端に向かって前記ヒンジ軸を相対移動させた際には該ヒンジ軸によって押圧されることにより前記付勢手段による付勢力に抗して前記解放位置側に変位し該ヒンジ軸の通過を許す左上、左下、右上及び右下の規制部材と、
円盤の外周に１８０度ピッチで２箇所の突起を設けた形状で、前記弾球遊技機の前面に開口する第１の鍵穴に差し込まれた鍵によって回転操作される左解錠盤、該回転操作された左解錠盤によって押し上げられて前記左上の規制部材を前記解放位置に変位させる突上棒及び該回転操作された左解錠盤によって押し下げられて前記左下の規制部材を前記解放位置に変位させる押下棒を含んで構成される左側解除手段と、
円盤の外周に１８０度ピッチで２箇所の突起を設けた形状で、前記弾球遊技機の前面に開口する第２の鍵穴に差し込まれた鍵によって回転操作される右解錠盤、該回転操作された右解錠盤によって押し上げられて前記右上の規制部材を前記解放位置に変位させる突上棒及び該回転操作された右解錠盤によって押し下げられて前記右下の規制部材を前記解放位置に変位させる押下棒を含んで構成される右側解除手段と
を備えることを特徴とする弾球遊技機。
【請求項２】
請求項１記載の弾球遊技機において、
互いにほぼ同軸で上下一対となるガラス枠用ヒンジ軸を前記前面側枠体に設けられた窓の左側と右側にそれぞれ１組ずつ配置し、
請求項１記載の軸挿通溝と同様の構造のガラス枠用軸挿通溝を前記４つのガラス枠用ヒンジ軸のそれぞれに対応させて前記前面側枠体に対して開閉されるガラス枠に４箇所設け、
該４箇所のガラス枠用軸挿通溝のそれぞれに対して請求項１記載の規制部材と同様のガラス枠用規制部材および請求項１記載の付勢部材と同様のガラス枠用付勢部材を配し、
前記第１の鍵穴に差し込まれた鍵を前記左解錠盤とは逆に回転操作すると前記窓の左辺側の一対のガラス枠用規制部材を共に前記解放位置に変位させるガラス枠用左側解除手段および前記第２の鍵穴に差し込まれた鍵を前記右解錠盤とは逆に回転操作すると前記窓の右辺側の一対のガラス枠用規制部材を共に前記解放位置に変位させるガラス枠用右側解除手段を設けた
ことを特徴とする弾球遊技機。
【発明の詳細な説明】
【０００１】
【発明の属する技術分野】
本発明は、パチンコ機やアレンジボール式パチンコ機に代表される弾球遊技機の技術分野に属し、詳しくはその前面側の開閉のための機構に関する。
【０００２】
【従来の技術】
従来の弾球遊技機は、本体枠の向かって左側の辺に沿って上下一対に配されたヒンジ軸を備え、そのヒンジ軸を前面枠に設けられたヒンジ軸受に挿通させることで前面枠を本体枠に取付け、また前面枠をヒンジ軸を軸として開閉可能としていた。
【０００３】
前面枠を本体枠に取付ける（ヒンジ軸をヒンジ軸受に挿通させる）際には、まず上側のヒンジ軸を対応するヒンジ軸受に挿通させながら前面枠を上に押し上げて下側のヒンジ軸と前面枠の下辺との間に隙間を確保し（下側のヒンジ軸と前面枠の下辺とが干渉しないようにして）、その状態から前面枠の下部を本体枠に押し付けるようにして下側のヒンジ軸受をヒンジ軸の直上にしてから前面枠を下降させて下側のヒンジ軸をヒンジ軸受に挿通させていた。
【０００４】
また、一部の弾球遊技機では、下側のヒンジ軸受の一部を開放して、前面枠の下部を本体枠に押し付けるようにするだけで下側のヒンジ軸をヒンジ軸受に挿通させることが可能な構造も採用されていた。
【０００５】
【発明が解決しようとする課題】
しかしながら、従来の技術では、下側のヒンジ軸をヒンジ軸受に挿通させる作業が完了するまでの間は、上側のヒンジ軸を上側のヒンジ軸受に挿通させた状態で前面枠の上縁をヒンジ軸の付け根側に押し付けておく（つまり前面枠を持ち上げている）必要があった。また、弾球遊技機の保守等に当たって前面枠を取り外す場合も同様に前面枠を持ち上げる作業が必要であった。
【０００６】
ところで弾球遊技機の内部構造の多くが前面枠の背面側に取付けられているので、前面枠全体としての重量は大きく、それを着脱に際して上述のように持ち上げているのは大変であった。また、前面枠の持ち上げと押しつけ移動という二動作が必要であり作業能率も低かった。
【０００７】
本発明は、弾球遊技機における前面枠の取付や取り外し作業に際しての作業者の負担を軽減し、その作業能率を向上させることを目的にしている。
【０００８】
【課題を解決するための手段および発明の効果】
上記課題を解決するための請求項１記載の弾球遊技機は、前面側に配され本体側に対して開閉される前面側枠体を備える弾球遊技機において、
該弾球遊技機の上下方向に沿って互いに対向して前記本体側に固定された上下一対のヒンジ軸の組を前記弾球遊技機の左右の辺に沿ってそれぞれ１組ずつ配置し、
前記ヒンジ軸を挿通可能な幅で前記本体側になる端が開放端で他端が閉鎖端とされて前記４つのヒンジ軸のそれぞれに対応して前記前面側枠体に設けられた左上、左下、右上及び右下の軸挿通溝と、
前記軸挿通溝のそれぞれに対応して配され、前記軸挿通溝の閉鎖端側に挿通された前記ヒンジ軸の前記開放端側への移動を阻止する拘束位置と該挿通された前記ヒンジ軸の前記開放端側への移動を許す解放位置とに上下に揺動変位可能で、付勢部材により前記拘束位置側に付勢され、前記開放端から閉鎖端に向かって前記ヒンジ軸を相対移動させた際には該ヒンジ軸によって押圧されることにより前記付勢手段による付勢力に抗して前記解放位置側に変位し該ヒンジ軸の通過を許す左上、左下、右上及び右下の規制部材と、
円盤の外周に１８０度ピッチで２箇所の突起を設けた形状で、前記弾球遊技機の前面に開口する第１の鍵穴に差し込まれた鍵によって回転操作される左解錠盤、該回転操作された左解錠盤によって押し上げられて前記左上の規制部材を前記解放位置に変位させる突上棒及び該回転操作された左解錠盤によって押し下げられて前記左下の規制部材を前記解放位置に変位させる押下棒を含んで構成される左側解除手段と、
円盤の外周に１８０度ピッチで２箇所の突起を設けた形状で、前記弾球遊技機の前面に開口する第２の鍵穴に差し込まれた鍵によって回転操作される右解錠盤、該回転操作された右解錠盤によって押し上げられて前記右上の規制部材を前記解放位置に変位させる突上棒及び該回転操作された右解錠盤によって押し下げられて前記右下の規制部材を前記解放位置に変位させる押下棒を含んで構成される右側解除手段と
を備えている。
【０００９】
上下のヒンジ軸は、例えば弾球遊技機の左辺に沿って互いに対向して、一方は本体側（例えば本体枠）の上辺側から下向きに他方は下辺側から上向きに、本体側に固定される。これら上下のヒンジ軸の軸芯は、前面側枠体（例えば前面枠）の開閉を妨げなければ同軸でなくてもよい。
【００１０】
これらヒンジ軸の相手方となる軸挿通溝は、ヒンジ軸を挿通可能な幅で本体側になる端が開放端で他端が閉鎖端とされて前面側枠体に設けられる。この軸挿通溝は、例えば前面側枠体をプラスチック製として、その一部を溝状に成形して設けることもできるし、例えば金属製の部品を用いて前面側枠体とは別体で製造しておいて、これを前面側枠体に取付ける手法も採用できる。
【００１１】
軸挿通溝のそれぞれに対応して配される規制部材は、上下方向の揺動により、軸挿通溝の閉鎖端側に挿通されたヒンジ軸の開放端側への移動を阻止する拘束位置と挿通されたヒンジ軸の開放端側への移動を許す解放位置とに変位する部材である。この規制部材は、付勢部材により拘束位置側に付勢され、開放端から閉鎖端に向かってヒンジ軸を相対移動させた際にはヒンジ軸によって押圧されることにより付勢手段による付勢力に抗して解放位置側に変位し該ヒンジ軸の通過を許す。
【００１２】
したがって、前面側枠体の軸挿通溝を対応するヒンジ軸に合わせるようにして前面側枠体の背面側を本体側に対面させ、そのまま前面側枠体を本体側に押し付けるようにすれば、前面側枠体の移動に伴ってヒンジ軸が軸挿通溝の開放端から閉鎖端に向かって相対移動し、そのヒンジ軸は規制部材を押圧して付勢手段による付勢力に抗してこれを解放位置側に変位させ、軸挿通溝の開放端から閉鎖端へと通過する。ヒンジ軸が通過してしまえば、規制部材は付勢手段の付勢力によって拘束位置に復帰するから、軸挿通溝の閉鎖端側に挿通されたヒンジ軸の開放端側への移動は阻止される。こうして、前面側枠体は本体側に取付けられる。また、ヒンジ軸は軸挿通溝内で相対回転できるから、ヒンジ軸を軸として前面側枠体を開閉できる。
【００１３】
このように、前面側枠体の背面側を本体側に対面させ、そのまま本体側に押し付けるようにするだけで前面側枠体を本体側に取付けることができるので、その取付けに当たって前面側枠体の上縁を上側のヒンジ軸の付け根に押し付けるように持ち上げておく必要はない。
【００１４】
また、前面側枠体の取外しは、例えば作業者が鍵によって左側解除手段、右側解除手段を操作するか、手などで規制部材を解放位置にしておいて、前面側枠体を本体側から離脱させるだけで完了するから、その際に前面側枠体の上縁を上側のヒンジ軸の付け根に押し付けるように持ち上げておく必要はない。
【００１５】
よって、前面側枠体の取付、取外し作業における作業者の負担は軽減される。また前面側枠体の平行移動という一動作で取付け、取外しができるから作業能率も向上する。しかも、このヒンジ構造を利用すると、前面側枠体を左右任意の側で開閉可能な構造とすることができる。
その構造とは、上下一対のヒンジ軸の組を弾球遊技機の左右の辺に沿ってそれぞれ１組ずつ配置し、それら４つのヒンジ軸のそれぞれに対応して前面側枠体に左上、左下、右上及び右下の軸挿通溝を４箇所設け、それら４箇所の軸挿通溝のそれぞれに対して左上、左下、右上及び右下の規制部材および付勢部材を配し、左辺側の両規制部材を共に解放位置に変位させる左側解除手段および右辺側の両規制部材を共に解放位置に変位させる右側解除手段を設けた構造である。
左側解除手段は、円盤の外周に１８０度ピッチで２箇所の突起を設けた形状で、弾球遊技機の前面に開口する第１の鍵穴に差し込まれた鍵によって回転操作される左解錠盤、回転操作された左解錠盤によって押し上げられて左上の規制部材を解放位置に変位させる突上棒及び回転操作された左解錠盤によって押し下げられて左下の規制部材を解放位置に変位させる押下棒を含んで構成される。右側解除手段も、同様に右解錠盤、突上棒及び押下棒を含んで構成される。
【００１６】
この弾球遊技機では、左側解除手段によって左辺側の両規制部材を共に解放位置に変位させれば、前面側枠体は右側のヒンジ軸を軸として開閉され、右側解除手段によって右辺側の両規制部材を共に解放位置に変位させれば、前面側枠体は左側のヒンジ軸を軸として開閉される。すなわち前面側枠体を左右任意の側で開閉できる。
【００１７】
従来の弾球遊技機の前面枠は左側のヒンジ軸を軸として開閉される構造であるので、弾球遊技機内部の左側の部品が故障した場合などには、その位置を点検したり修理作業を行う際に窮屈となりこれらの作業を行いにくいことがあった。
しかし、請求項２の構成を採用すれば、前面側枠体を左右任意の側で開閉できるから、左右どちらかの側の点検や修理でも窮屈にならず楽に行える。
【００１８】
また、遊技店において前面枠を開放する際に、その開放される弾球遊技機の左側の弾球遊技機を使用している客がいれば、その客に一時遊技を中断して席を立ってもらう必要があった。しかし、請求項１の構成を採用すれば、前面側枠体を左右任意の側で開閉できるので、たとえば前面側枠体の開放が必要な弾球遊技機の左側の弾球遊技機が空いていれば左側を軸として開放すればよいし、右側が空いていれば右側を軸として開放すればよいから、その際に隣の弾球遊技機を使用している客に一時遊技を中断して席を立ってもらう必要はない。
【００１９】
また、このように構成した場合も、前面側枠体の平行移動という一動作で取付け、取外しができるから作業者の負担の軽減と作業能率の向上は確保される。ところで、これら左側解除手段および右側解除手段を遊技客が勝手に操作すると困るから、鍵によって操作する構造にしてある。
【００２１】
このようにすれば、鍵を持たない人すなわち遊技客が前面側枠体を勝手に開閉するのを防止できる。
また、第１の鍵穴を弾球遊技機の左側に、第２の鍵穴を右側に配置すれば、左側を開きたい場合には第１の鍵穴、右側を開きたい場合には第２の鍵穴というように対応するので、開放方向を間違えるおそれもない。
【００２２】
さらに、このヒンジ構造はガラス枠の開閉構造にも利用できる。具体的には請求項２記載の構成とするとよい。この請求項２記載の弾球遊技機は、請求項１記載の弾球遊技機において、
互いにほぼ同軸で上下一対となるガラス枠用ヒンジ軸を前記前面側枠体に設けられた窓の左側と右側にそれぞれ１組ずつ配置し、
請求項１記載の軸挿通溝と同様の構造のガラス枠用軸挿通溝を前記４つのガラス枠用ヒンジ軸のそれぞれに対応させて前記前面側枠体に対して開閉されるガラス枠に４箇所設け、
該４箇所のガラス枠用軸挿通溝のそれぞれに対して請求項１記載の規制部材と同様のガラス枠用規制部材および請求項１記載の付勢部材と同様のガラス枠用付勢部材を配し、
前記第１の鍵穴に差し込まれた鍵を前記左解錠盤とは逆に回転操作すると前記窓の左辺側の一対のガラス枠用規制部材を共に前記解放位置に変位させるガラス枠用左側解除手段および前記第２の鍵穴に差し込まれた鍵を前記右解錠盤とは逆に回転操作すると前記窓の右辺側の一対のガラス枠用規制部材を共に前記解放位置に変位させるガラス枠用右側解除手段を設けている。
【００２３】
すなわち、前面側枠体とガラス枠との関係を請求項１における本体側と前面側枠体との関係と同様にしている。このため、ガラス枠の前面側枠体への取付け、取り外しは、前面側枠体を本体側に取付け、取り外す場合と同様にガラス枠の平行移動という一動作でできるから作業者の負担は軽減され作業能率も向上する。
【００２４】
また、ガラス枠を左右任意の側で開閉できるので、上述の前面側枠体の開放の場合と同様に、ガラス枠の開放に当たって隣の弾球遊技機を使用している客に一時遊技を中断して席を立ってもらう必要はない。
加えて、第１の鍵穴に差し込まれた鍵によってガラス枠用左側解除手段を操作し、第２の鍵穴に差し込まれた鍵によってガラス枠用右側解除手段を操作するので、鍵を持たない人すなわち遊技客がガラス枠を勝手に開閉するのを防止できる。特に、第１の鍵穴を弾球遊技機の左側に、第２の鍵穴を右側に配置すれば、左側を開きたい場合には第１の鍵穴、右側を開きたい場合には第２の鍵穴というように対応するので、開放方向を間違えるおそれもない。
【００２５】
【発明の実施の形態】
次に、本発明の実施例を図面を参照して説明することにより、発明の実施の形態を具体的に説明する。
【００２６】
【実施例】
図１に示すように、弾球遊技機としてのパチンコ機１０は、プラスチック製の本体枠１２により上下および左右の外殻を形成し、前面側の下部には本体枠１２と一体的に成形された下縁部材１４が配されている。この下縁部材１４には下受皿１６や発射装置（図示しない）を操作するための発射ハンドル１８等が取付けられている。また、本体枠１２の上縁部２０と下縁部材１４との間には、額縁状で本発明の前面側枠体に該当する前面枠２２が配されている。前面枠２２は本体枠１２に対して開閉自在であり、また着脱自在であるが、その詳細は後述する。
【００２７】
前面枠２２の左辺部２４および右辺部２６にはそれぞれ鍵穴２８、３０が設けられ、窓３２にはガラス枠３４および皿扉３６がはめ込まれている。
ガラス枠３４は２枚のガラス板３８を保持しており、そのガラス板３８にて遊技盤４０の前面側を覆っている。遊技盤４０には、内外２つのガイドレール４２、４４で囲まれる略円形の遊技領域４６が設けられ、その遊技領域４６には周知の入賞装置、障害釘、風車等（いずれも図示は省略）が配されている。なお、ガラス枠３４は本体枠１２に対して開閉自在であり、また着脱自在であるが、その詳細は後述する。
【００２８】
皿扉３６は、上受皿４８を支持するための部材で、左辺部分で図示しない蝶番を介して前面枠２２に取付けられており、この蝶番により前面枠２２に対して開閉できる。
前面枠２２の四隅には、本体枠１２と前面枠２２とを開閉自在かつ着脱自在に連結するヒンジ機構５０ａ、５０ｂ、５２ａ、５２ｂが配され、ガラス枠３４の四隅には、前面枠２２とガラス枠３４を開閉自在かつ着脱自在に連結するヒンジ機構５４ａ、５４ｂ、５６ａ、５６ｂが配されている。
【００２９】
次に、これらヒンジ機構５０ａ〜５６ｂについて説明するが、ヒンジ機構５０ａとヒンジ機構５０ｂとは互いに上下を反転させた対称形態で、ヒンジ機構５０ａ、５０ｂとヒンジ機構５２ａ、５２ｂとは互いに左右対称な形態である。またヒンジ機構５４ａ、５４ｂ、５６ａ、５６ｂはそれぞれヒンジ機構５０ａ、５０ｂ、５２ａ、５２ｂと同様の形態であるので、ヒンジ機構５０ａにて代表して構造を詳細に説明し、ヒンジ機構５０ｂ〜５６ｂの説明は省略する。
【００３０】
図２に示すように、本体枠１２の右上隅には、上縁部２０の下面から下向きに右上のヒンジ軸５８が取付けられている。また、図６に示すように、下縁部材１４の上面には、ヒンジ軸５８とほぼ同軸に、右下のヒンジ軸６０が立設されている。一方、図２に示すように、前面枠２２の右上隅の背面側には、図１に示されるように前面枠２２を閉じた際にヒンジ軸５８に対面する位置に右上のヒンジ軸受６２が設置されている。これらヒンジ軸５８とヒンジ軸受６２とでヒンジ機構５０ａが構成されており、他のヒンジ機構５０ｂ〜５６ｂも同様である。ただし、ヒンジ機構５４ａ、５４ｂ、５６ａ、５６ｂではヒンジ軸は前面枠２２に固定され、ヒンジ軸受はガラス枠３４の背面側に取付けられている。
【００３１】
図２および図３に示すように、ヒンジ軸受６２は、Ｌ字状の本体６４、規制部材に該当する揺動板６６、本体６４に立設されたピン６８と揺動板６６とに掛け渡された付勢手段としての引っ張りコイルばね７０とから構成されている。
本体６４には、鉛直部７２から水平部７４にかけて打抜孔７６が設けられ、その打抜孔７６の内で水平部７４に設けられている部分が軸挿通溝７８となっている。軸挿通溝７８は入口側（鉛直部７２側）で広がる略Ｕ字状をしており、図２に示されるように、この入口側がヒンジ軸５８側に向けられている。また、打抜孔７６の鉛直部７２に設けられた部分の一辺側には段差８０が設けられている。
【００３２】
揺動板６６には、一対のくびれ８２ａ、８２ｂが設けられており、このくびれ８２ａ、８２ｂ部分を打抜孔７６の下辺部に位置させて、打抜孔７６を貫通している。揺動板６６の一方のくびれ８２ａは段差８０と互いに噛み合っており、他方のくびれ８２ｂは鉛直部７２の一部を挿通させている。また、揺動板６６にはばね孔８４が穿設され、このばね孔８４に引っ張りコイルばね７０の一方の端が連結されている。このため、揺動板６６には、くびれ８２ａ、８２ｂ付近を支点として揺動可能であり、通常は引っ張りコイルばね７０の付勢力によって先端８６を水平部７４の下面に当接させている。このとき、図３（ｃ）に示されるように揺動板６６の先端８６が軸挿通溝７８を閉じる状態になっている。なお、くびれ８２ａは、揺動板６６が本体６４から離脱するのを防止している。
【００３３】
このような構造であるので、前面枠２２を本体枠１２に取付ける場合には、図５に示されるように、軸挿通溝７８内にヒンジ軸５８が入る位置（図５（ａ）参照、他のヒンジ機構５０ｂ、５２ａ、５２ｂも同様）にして、前面枠２２を本体枠１２に向けて平行移動させる。すると、ヒンジ軸５８が揺動板６６に当たってこれを引っ張りコイルばね７０の付勢力に抗して、先端８６を下降させる方向に揺動変位させる（図５（ｂ）参照）。さらに前面枠２２と本体枠１２とが接近しほぼ接触する状態になったときには、ヒンジ軸５８が揺動板６６上を通過して軸挿通溝７８の端部に達する。すると、ヒンジ軸５８による押圧を解除された揺動板６６は、引っ張りコイルばね７０の付勢力によって先端８６を上昇させて水平部７４の下面に当接される（図５（ｃ）参照）。これにより、先端８６が軸挿通溝７８を閉じるので、ヒンジ軸５８は軸挿通溝７８の開放端側への移動を阻止される。このとき他のヒンジ機構５０ｂ、５２ａ、５２ｂも同様の状態となっており、前面枠２２が本体枠１２に取付けられたことになる。また、これと同様にして、ガラス枠３４を前面枠２２に取付けることができる。
【００３４】
次に、鍵穴２８、３０の背面側に配されて、鍵穴２８、３０に挿入された鍵によって操作される解錠機構について説明する。ただし、鍵穴２８に挿入された鍵によって操作される左側解除手段に該当する左側解錠機構は、鍵穴３０に挿入された鍵によって操作される右解除手段に該当する右側解錠機構９０と左右対称な構造であるので、右側解錠機構９０についてだけ説明し左側解錠機構の説明は省略する。
【００３５】
図４に示すように、右側解錠機構９０は、円盤の２箇所に突起９２ａ、９２ｂを設けた解錠盤９４および同様に円盤の２箇所に突起９６ａ、９６ｂを設けた解錠盤９８を備えている。なお、解錠盤９８は解錠盤９４とは突起９６ａ、９６ｂの向きが逆である。
【００３６】
解錠盤９４の中心部には貫通孔１００が設けられ、操作棒１０２が貫通、固着されている。また、操作棒１０２の先端は解錠盤９８に達していて解錠盤９８にも固着されている。そして、詳細の図示は省略するが操作棒１０２は鍵穴３０に接続されていて、鍵穴３０に鍵を挿入して時計回りあるいは反時計回りに回せば、それに応じて操作棒１０２とともに解錠盤９４、９６を回動させることができる。ただし、鍵（すなわち操作棒１０２）の回動範囲は、時計回り方向、反時計回り方向とも約４０度に制限されていて、それを越えて回動させることはできない。
【００３７】
解錠盤９４の突起９２ａの上側には受板１０４が接していて、受板１０４の上面には突上棒１０６が固着されている。同様に、突起９２ｂの下側には受板１０８が接していて、受板１０８の下面には押下棒１１０が固着されている。同様に、解錠盤９８の突起９６ａの上側には受板１１２が接していて、受板１１２の上面には突上棒１１４が固着され、突起９６ｂの下側には受板１１６が接していて、受板１１６の下面には押下棒１１８が固着されている。
【００３８】
そして、図６に示されるように、突上棒１０６の先端はヒンジ機構５０ａの揺動板６６の後端に接しており、押下棒１１０の先端はヒンジ機構５０ｂの揺動板６６の後端に接している。また、図示は省略するが、突上棒１１４の先端はヒンジ機構５４ａの揺動板６６の後端に接しており、押下棒１１８の先端はヒンジ機構５４ｂの揺動板６６の後端に接している。なお、これら突上棒１０６、１１２および押下棒１１０、１１８は、図示しないばねによりそれぞれ解錠盤９４、９８側に付勢されている。
【００３９】
次に、この右側解錠機構９０の動作について図６を参照して説明する。なお、図６（ａ）、（ｂ）、（ｃ）は、それぞれ通常時の右上隅のヒンジ機構５０ａ、右側解錠機構９０、右下隅のヒンジ機構５０ｂの状態を示す図であり、図６（ｄ）、（ｅ）、（ｆ）は、それぞれ前面枠解錠時の右上隅のヒンジ機構５０ａ、右側解錠機構９０、右下隅のヒンジ機構５０ｂの状態を示す図である。また、この図６では、右側解錠機構９０とヒンジ機構５０ａ、５０ｂの動きをわかりやすくするために、ヒンジ機構５０ａ、５０ｂ部分（図６（ａ）、（ｃ）、（ｄ）、（ｆ））は鉛直軸回りに９０度回転させた状態で図示している。
【００４０】
この右側解錠機構９０では、鍵によって操作されていないときには、図６（ｂ）に示されるように、突上棒１０６、１１２は下降位置にあり押下棒１１０、１１８は上昇位置にある。
一方、鍵穴３０に鍵を挿入して時計回りに回せば、図６（ｅ）に示されるように、操作棒１０２とともに解錠盤９４、９８を回動させることができる。この際、解錠盤９４の突起９２ａが受板１０４と共に突上棒１０６を押し上げ、突起９２ｂが受板１０８と共に押下棒１１０を押し下げる。なお、解錠盤９８も回動するが、図６（ｅ）に示されるように、突起９６ａ、９６ｂが受板１１２、１１６を押すことはないので、これらの受板１１２、１１６が上昇あるいは下降することはない。
【００４１】
この解錠盤９４の回転に伴い、図６（ｄ）に示されるように突上棒１０６がヒンジ機構５０ａの揺動板６６を押し先端８６を下降させる方向に揺動変位させ、図６（ｆ）に示されるように押下棒１１０がヒンジ機構５０ｂの揺動板６６を押し先端８６を上昇させる方向に揺動変位させるので、両ヒンジ機構５０ａ、５０ｂの揺動板６６はヒンジ軸５８、６０を拘束しなくなる。ここで前面枠２２の右辺部２６を引っ張れば、左辺部２４側のヒンジ機構５２ａ、５２ｂを軸として前面枠２２を開放することができる。
【００４２】
同様に、鍵穴２８に挿入した鍵で左側解錠機構を操作すれば、ヒンジ機構５２ａ、５２ｂによる本体枠１２と前面枠２２との連結を解除して、右辺部２６側のヒンジ機構５０ａ、５０ｂを軸として前面枠２２を開放することができる。
つまり、前面枠２２を左右どちらにでも開くことができる。
【００４３】
また、このようにして前面枠２２を開いてから、残りのヒンジ機構５０ａ、５０ｂまたはヒンジ機構５２ａ、５２ｂによる本体枠１２と前面枠２２との連結を解除すれば、前面枠２２を本体枠１２から取外すことができる。このとき、残りのヒンジ機構５０ａ、５０ｂまたはヒンジ機構５２ａ、５２ｂの揺動板６６を手で操作しても構わない。
【００４４】
あるいは、鍵穴３０に鍵を挿入して反時計回りに回せば、今度は解錠盤９８の突起９６ａが受板１１２と共に突上棒１１４を押し上げ、突起９６ｂが受板１１６と共に押下棒１１８を押し下げるので、ヒンジ機構５４ａ、５４ｂによる前面枠２２とガラス枠３４との連結を解除して、ヒンジ機構５６ａ、５６ｂを軸としてガラス枠３４を開放することができる。なお、解錠盤９４も回動するが、その突起９２ａ、９２ｂが受板１０４、１０８を押すことはないので、これらの受板１０４、１０８が上昇あるいは下降することはない。そして、鍵穴２８に挿入した鍵で左側解錠機構を同様に操作すれば、ヒンジ機構５６ａ、５６ｂによる前面枠２２とガラス枠３４との連結を解除して、ヒンジ機構５４ａ、５４ｂを軸としてガラス枠３４を開放することができる。すなわち、ガラス枠３４を左右どちらにでも開くことができる。
【００４５】
また、このようにしてガラス枠３４を開いてから、残りのヒンジ機構５４ａ、５４ｂまたはヒンジ機構５６ａ、５６ｂによるガラス枠３４と前面枠２２との連結を解除すれば、ガラス枠３４を前面枠２２から取外すことができる。このとき、残りのヒンジ機構５４ａ、５４ｂまたはヒンジ機構５６ａ、５６ｂの揺動板６６を手で操作しても構わない。
【００４６】
以上のように、このパチンコ機１０では、前面枠２２の平行移動という一動作で本体枠１２への取付け、取外しができるから、その作業能率が向上し作業者の負担は軽減される。同様にガラス枠３４の取付け、取外しも、ガラス枠３４の平行移動という一動作で行えるから、その作業能率が向上し作業者の負担は軽減される。
【００４７】
しかも、前面枠２２およびガラス枠３４とも、左右どちらにでも開くことができるから、その内部の左右どちらの側の点検や修理でも窮屈にならず楽に行える。また、これらを開放する際に、その開放されるパチンコ機１０の左右どちらかの隣の弾球遊技機が空いていれば、その側に開放すればよいわけで、隣の弾球遊技機を使用している客に一時遊技を中断して席を立ってもらう必要はなくなる。
【００４８】
【変型例】
次に、図７および図８を参照して、ヒンジ軸受の変形例を説明する。これらの例は、規制部材としての揺動板の揺動方向を水平方向にした例である。
（変形例１）
図７に示すように、このヒンジ軸受１６１は、Ｌ字状の本体１６３、規制部材に該当する揺動板１６５、本体１６５に立設されたピン１６７に遊嵌された付勢手段としての捻れコイルばね１６９とから構成されている。
【００４９】
本体１６３には、鉛直部１７１ら水平部１７３にかけて打抜孔１７７が設けられ、その打抜孔１７７の内で水平部１７３に設けられている部分が軸挿通溝１７７ａとなっている。軸挿通溝１７７ａは入口側（鉛直部１７１側）で広がる略Ｕ字状をしており、この入口側がヒンジ軸（図示略）側に向けられる。なお、水平部１７３の下面側には、軸挿通溝１７７ａの一縁に沿って垂下されたストッパ１７７ｂが設けられている。
【００５０】
揺動板１６５には、ピン１６７を挿通させる軸受部１８１が設けられており、ピン１６７を軸として揺動自在である。また、捻れコイルばね１６９の一方の端部１８３は本体１６３の鉛直部１７１に係止され、他方の端部１８５は揺動板１６５を貫通している。
このため、揺動板１６５は、通常は捻れコイルばね１６９の付勢力によって先端１８７をストッパ１７７ｂに当接させている。このとき、図７（ａ）に示されるように揺動板１６５の先端１８７が軸挿通溝１７７ａを閉じる状態になっている。
【００５１】
このような構造であるので、前面枠２２を本体枠１２に取付ける場合には、実施例の場合と同様に、軸挿通溝１７７ａ内にヒンジ軸が入る位置にして、前面枠２２を本体枠１２に向けて平行移動させる。すると、ヒンジ軸が揺動板１６５に当たってこれを捻れコイルばね１６９の付勢力に抗して、先端１８７を図７（ａ）における反時計回り方向に揺動変位させる。さらに前面枠２２と本体枠１２とが接近しほぼ接触する状態になったときには、ヒンジ軸が揺動板１６５の面上を通過して軸挿通溝１７７ａの端部に達する。すると、ヒンジ軸による押圧を解除された揺動板１６５は、捻れコイルばね１６９の付勢力によって先端１８７を時計回り方向に揺動させてストッパ１７７ｂに当接させる。これにより、先端１８７が軸挿通溝１７７ａを閉じるので、ヒンジ軸は軸挿通溝１７７ａの開放端側への移動を阻止される。このとき他のヒンジ機構も同様の状態となっており、前面枠２２が本体枠１２に取付けられたことになる。また、これと同様にして、ガラス枠３４を前面枠２２に取付けることができる。
【００５２】
さらに、実施例で示した解錠機構と同様に、鍵穴３０に挿入された鍵によって操作されて、揺動板１６５を図７（ａ）における反時計回り方向に揺動変位させる機構を用いれば、実施例の場合と同様に前面枠２２およびガラス枠３４を左右どちら側でも開くことができる。
（変形例２）
図８に示すように、このヒンジ軸受１６２は、Ｌ字状の本体１６４、規制部材に該当する揺動板１６６、本体１６４に立設されたピン１６８と揺動板１６６とに掛け渡された付勢手段としての引っ張りコイルばね１７０とから構成されている。
【００５３】
本体１６４には、鉛直部１７２から水平部１７４にかけて打抜孔１７６が設けられ、その打抜孔１７６の内で水平部１７４に設けられている部分が軸挿通溝１７８となっている。軸挿通溝１７８は入口側（鉛直部１７２側）で広がる略Ｕ字状をしており、この入口側がヒンジ軸（図示略）側に向けられる。なお、水平部１７４の下面側には、軸挿通溝１７８の一縁に沿って垂下されたストッパ１７５が設けられている。また、打抜孔１７６の鉛直部１７２に設けられた部分には、横方向に延びる板保持部１７９が設けられており、その板保持部１７９の下辺側には段差１８０が設けられている。
【００５４】
揺動板１６６には、一対のくびれ１８２ａ、１８２ｂが設けられており、このくびれ１８２ａ、１８２ｂ部分を打抜孔７６の板保持部１７９に位置させて、打抜孔１７６を貫通している。揺動板１６６の一方のくびれ１８２ａは段差１８０と互いに噛み合っており、他方のくびれ１８２ｂは打抜孔７６の縁を挿通させている。また、揺動板１６６にはばね孔１８４が穿設され、このばね孔１８４に引っ張りコイルばね１７０の一方の端が連結されている。このため、揺動板１６６には、くびれ１８２ａ、１８２ｂ付近を支点として水平方向に揺動可能であり、通常は引っ張りコイルばね１７０の付勢力によって先端１８６をストッパ１７５に当接させている。このとき、図８（ｃ）に示されるように揺動板１６６の先端１８６が軸挿通溝１７８を閉じる状態になっている。なお、くびれ１８２ａは、揺動板１６６が本体１６４から離脱するのを防止している。
【００５５】
このような構造であるので、前面枠２２を本体枠１２に取付ける場合には、実施例の場合と同様に、軸挿通溝１７８内にヒンジ軸が入る位置にして、前面枠２２を本体枠１２に向けて平行移動させる。すると、ヒンジ軸が揺動板１６６に当たってこれを引っ張りコイルばね１７０の付勢力に抗して、先端１８６を図８（ｃ）における反時計回り方向に揺動変位させる。さらに前面枠２２と本体枠１２とが接近しほぼ接触する状態になったときには、ヒンジ軸が揺動板１６６の面上を通過して軸挿通溝１７８の端部に達する。すると、ヒンジ軸による押圧を解除された揺動板１６６は、引っ張りコイルばね１７０の付勢力によって先端１８６を時計回り方向に揺動させてストッパ１７５に当接させる。これにより、先端１８６が軸挿通溝１７８を閉じるので、ヒンジ軸は軸挿通溝１７８の開放端側への移動を阻止される。このとき他のヒンジ機構も同様の状態となっており、前面枠２２が本体枠１２に取付けられたことになる。また、これと同様にして、ガラス枠３４を前面枠２２に取付けることができる。
【００５６】
さらに、実施例で示した解錠機構と同様に、鍵穴３０に挿入された鍵によって操作されて、揺動板１６６を図８（ｃ）における反時計回り方向に揺動変位させる機構を用いれば、実施例の場合と同様に前面枠２２およびガラス枠３４を左右どちら側でも開くことができる。
【００５７】
以上、実施例および変形例に従って、本発明の実施の形態について説明したが、本発明はこれらの例に限定されるものではなく、本発明の要旨を逸脱しない範囲でさまざまに実施できることは言うまでもない。
【図面の簡単な説明】
【図１】  実施例のパチンコ機の正面図である。
【図２】  実施例のパチンコ機のヒンジ機構の説明図であり、図２（ａ）は前面枠側、図２（ｂ）は本体枠側の説明図である。
【図３】  実施例のパチンコ機に装着されているヒンジ軸受の構造の説明図であり、図３（ａ）は側面側断面図、図３（ｂ）は正面図、図３（ｃ）は平面図である。
【図４】  実施例のパチンコ機に装着されている解錠機構の構造の説明図であり、図４（ａ）は正面図、図４（ｂ）は一部断面側面図である。
【図５】  実施例のパチンコ機において前面枠を本体枠に取付けるさいの説明図であり、図５（ａ）は取付け開始時の、図５（ｂ）は取付け途中の、図５（ｃ）は取付け完了時の説明図である。
【図６】  実施例のパチンコ機に装着されている解錠機構の動作の説明図であり、図６（ａ）は通常時の右上隅のヒンジ機構の、図６（ｂ）は通常時の右側解錠機構の、図６（ｃ）は通常時の右下隅のヒンジ機構の説明図であり、
図６（ｄ）は前面枠解錠時の右上隅のヒンジ機構の、図６（ｅ）は前面枠解錠時の右側解錠機構の、図６（ｆ）は前面枠解錠時の右下隅のヒンジ機構の説明図である。
【図７】  変形例１のヒンジ軸受の構造の説明図であり、図７（ａ）は一部破断平面図、図７（ｂ）は一部破断正面図、図７（ｃ）は側面側断面図である。
【図８】  変形例２のヒンジ軸受の構造の説明図であり、図８（ａ）は正面図、図８（ｂ）は側面側断面図、図８（ｃ）は平面図である。
【符号の説明】
１０…パチンコ機（弾球遊技機）、１２…本体枠（本体側）、１４…下縁部材（本体側）、１６…下受皿、１８…発射ハンドル、２０…上縁部（本体側）、２２…前面枠（前面側枠体）、２４…左辺部、２６…右辺部、２８…鍵穴（第１の鍵穴）、３０…鍵穴（第２の鍵穴）、３２…窓、３４…ガラス枠、３６…皿扉、４０…遊技盤、４２、４４…ガイドレール、４６…遊技領域、４８…上受皿、５０ａ〜５６ｂ…ヒンジ機構、５８…ヒンジ軸、６０…ヒンジ軸、６２…ヒンジ軸受、６４…本体、６６…揺動板（規制部材）、６８…ピン、７０…引っ張りコイルばね（付勢部材）、７２…鉛直部、７４…水平部、７６…打抜孔、７８…軸挿通溝、８０…段差、８２…くびれ、８６…先端、９０…右側解錠機構（右側解除手段、ガラス枠用右側解除手段）、９２ａ…突起（右側解除手段）、９２ｂ…突起（右側解除手段）、９４…解錠盤（右側解除手段）、９６ａ…突起（ガラス枠用右側解除手段）、９６ｂ…突起（ガラス枠用右側解除手段）、９８…解錠盤（ガラス枠用右側解除手段）、１０２…操作棒、１０４…受板（右側解除手段）、１０６…突上棒（右側解除手段）、１０８…受板（右側解除手段）、１１０…押下棒（右側解除手段）、１１２…受板（ガラス枠用右側解除手段）、１１４…突上棒（ガラス枠用右側解除手段）、１１６…受板（ガラス枠用右側解除手段）、１１８…押下棒（ガラス枠用右側解除手段）。
【図１】
0003940478.tif 000002
【図２】
0003940478.tif 000003
【図３】
0003940478.tif 000004
【図４】
0003940478.tif 000005
【図５】
0003940478.tif 000006
【図６】
0003940478.tif 000007
【図７】
0003940478.tif 000008
【図８】
0003940478.tif 000009